(57)【要約】【課題】  高音域の音圧特性に現れるピークをコントロールするための溝部をダイアフラムの振動板に形成した場合の高音域におけるピークを低くして、よりフラットな特性を得ることが可能なスピーカ装置を提供する。【解決手段】  ダイアフラムの振動板に形成された溝部の上方を塞ぐように帯状体を貼着する。これにより、ダイアフラムの弾性が、ダイアフラムの中心部付近と長手方向における両端部付近とでほぼ等しくなり、ダイアフラムが軽量のまま剛性が高められるため、高音域におけるピークが低くなり、よりフラットな特性が得られるようになる。【選択図】図４
2006303600.tif 000002
【特許請求の範囲】
【請求項１】
溝部が形成されたドーム型の振動板と、前記振動板の外周部に沿って配設されたエッジダンパ部と、前記振動板を駆動するボイスコイルとを備えてダイアフラムが構成されたスピーカ装置において、
前記溝部の上方を塞ぐ帯状体を前記振動板に貼着したことを特徴とする。
【請求項２】
前記溝部は、その平面視が前記振動板の平面視とほぼ同一形状となるように形成され、前記溝部のほぼ直線部分に前記帯状体が貼着されていることを特徴とする請求項１記載のスピーカ装置。
【請求項３】
前記振動板は、平面視が楕円形状、長円形状、角型形状或いは矩形状であることを特徴とする請求項１記載のスピーカ装置。
【請求項４】
前記帯状体は、前記溝部の長手方向に向かってほぼ平行、且つほぼ対称となるように貼着されていることを特徴とする請求項１記載のスピーカ装置。
【請求項５】
前記帯状体は、軽薄且つ長手方向における剛性を有する基体と、この基体を前記振動板に貼着する接合部材とを備えて構成されていることを特徴とする請求項１記載のスピーカ装置。
【発明の詳細な説明】
【技術分野】
【０００１】
この発明は、スピーカ装置に関するものである。
【背景技術】
【０００２】
例えば、特許文献１には、振動板及びボイスコイルを楕円形状または長円形状としたドーム型のスピーカ装置が提案されている。
図１に示されるように、このスピーカ装置１は、平面視が楕円形状または長円形状、且つ側面視がドーム型の振動板２と、この振動板２の外周縁部に沿って形成されたロール型のエッジダンパ部３と、振動板２とエッジダンパ部３との間に形成された楕円または長円の口径を有する凹部４内に嵌合させた空芯ボイスコイル５とを備えてダイアフラム６が構成され、このダイアフラム６の外周縁を支持するフレーム７の内周側に、着磁したマグネット８を上部プレート９及びヨーク１０により挟み込んだ磁気回路１１を配設することによって、狭いスピーカ設置領域にできるだけ大きな口径のスピーカ装置を設置可能としている。
なお、図１中の符号１２は、振動板２の全面に貼り付けられたキャップを示している。
【０００３】
しかしながら、上記した従来のスピーカ装置にあっては、ダイアフラム６の平面視が楕円形状または長円形状であるため、ダイアフラム６における弾性が、ダイアフラム６の中心部付近と長手方向における両端部付近との間で異なってしまう。そのため、ダイアフラム６の剛性が低く、高音域の音圧特性にピーク（ｆｈ）が現れるという問題があった。
【０００４】
そこで、このような問題を解決するために、例えば、特許文献２，３に記載されているように、高音域の音圧特性に現れるピークをコントロールするためのＶ字状の溝部１３を、図２に示されるように、ダイアフラム６の振動板２に平面視楕円形状または長円形状に形成することが考えられるが、図３に示されように、高音域におけるＱ（ピーク）は高く、フラット特性としては望ましいものではないという問題があった。
【０００５】
【特許文献１】特開２００３−２５９４８６号公報
【特許文献２】特開２００４−０４０６２０号公報
【特許文献３】特開２００４−０８８７３９号公報
【発明の開示】
【発明が解決しようとする課題】
【０００６】
そこで、本発明が解決しようとする課題は、上述した従来技術において生じる、高音域の音圧特性に現れるピークをコントロールするための溝部をダイアフラムの振動板に形成した場合の高音域におけるピークは高く、フラット特性としては望ましいものではないという問題が一例として挙げられる。
【課題を解決するための手段】
【０００７】
上記目的を達成するため本発明によるスピーカ装置は、以下の独立請求項に係る構成を少なくとも具備するものである。
請求項１に記載の発明は、溝部が形成されたドーム型の振動板と、前記振動板の外周部に沿って配設されたエッジダンパ部と、前記振動板を駆動するボイスコイルとを備えてダイアフラムが構成されたスピーカ装置において、
前記溝部の上方を塞ぐ帯状体を前記振動板に貼着したことを特徴とする。
【発明を実施するための最良の形態】
【０００８】
ダイアフラムの振動板に形成された溝部の上方を塞ぐように帯状体を貼着すると、振動板が軽量のまま補剛されることによって、高音域におけるピークが低減して、よりフラットな特性になるスピーカ装置が実現した。
【０００９】
以下、本発明の最も好適と思われる実施形態について図面を参照して詳細に説明を行う。図４は、本実施形態に係るスピーカ装置の平面図、図５は、図４中のＡ−Ａ矢視線における断面図、図６は、同例におけるスピーカ装置の一実施形態を示した平面図、図７は、図６中のＢ−Ｂ矢視線における断面図、図８は、本スピーカ装置と従来のスピーカ装置との周波数特性比較図である。
【００１０】
まず、図４〜７に示されるように、本発明の実施形態は、溝部２１が形成されたドーム型の振動板２２と、前記振動板２２の外周部に沿って配設されたエッジダンパ部２３と、前記振動板２２を駆動するボイスコイル２４とを備えてダイアフラム２５が構成されたスピーカ装置２０を前提とするものである。
【００１１】
そして、第１の実施形態としては、溝部２１の上方を塞ぐ帯状体２６を振動板２２に貼着したことを特徴とする。
第２には、溝部２１は、その平面視が振動板２２の平面視とほぼ同一形状となるように形成され、溝部２２のほぼ直線部分に帯状体２６が貼着されていることを特徴とする。
第３には、振動板２２は、平面視が楕円形状、長円形状、角型形状或いは矩形状であることを特徴とする。
第４には、帯状体２６は、溝部２１の長手方向に向かって平行、且つ対称となるように貼着されていることを特徴とする。
第５には、前記帯状体２６は、軽薄且つ長手方向における剛性を有する基体２６ａと、この基体２６ａを前記振動板２２に貼着する接合部材２６ｂとを備えて構成されていることを特徴とする。
【００１２】
これらの特徴によれば、平面視が楕円形状、長円形状、角型形状或いは矩形状で側面視がドーム型の振動板２２とほぼ同一の平面視形状となるように形成された溝部２１おいて、溝部２１のほぼ直線部分を対象として軽薄且つ長手方向における剛性を有する基体２６ａと、この基体２６ａを振動板２２に貼着する接合部材２６ｂとを備えた帯状体２６が溝部２２の上方を覆うように貼着される。これにより、ダイアフラム２５の弾性が、ダイアフラム２５の中心部付近と長手方向における両端部付近とでほぼ等しくなり、ダイアフラム２５が軽量のまま剛性が高められるため、高音域におけるピークが低くなり、よりフラットな特性が得られるようになる。
【実施例】
【００１３】
以下に、本発明の実施例について図４〜７を参照しながら詳細に説明を行う。
図４、５に示されるように、本スピーカ装置２０は、例えば、Ｖ字状の溝部２１が形成されたドーム型の振動板２２と、前記振動板２２の外周部に沿って配設されたロール型のエッジダンパ部２３と、前記振動板２２とエッジダンパ部２３との結合部位に設けられて前記振動板２２を駆動するボイスコイル２４とを備えてダイアフラム２５が構成されている。
【００１４】
振動板２２は、その平面視が楕円形状、長円形状、角型形状或いは矩形状とされ、側面視がドーム型に形成されている。この振動板２２には、溝部２１が振動板２２とほぼ同一平面視形状を有するように凹み形成されている。この溝部２１によって取り囲まれた振動板２２の中央部は、下方に向かって浅く且つ緩やかに窪むように凹み形成されている。そして、この振動板２２の中央部を左右側から挟んだ溝部２１には、その上方を塞ぐように帯状体２６がそれぞれ配置された状態で振動板２２に強力に貼着されている。
【００１５】
詳述すると、帯状体２６は、溝部２１よりも適宜幅広に形成され、軽薄且つ長手方向における剛性を有する基体２６ａ、例えば、合成樹脂材や金属材等が用いられた基体２６ａと、この基体２６ａを振動板２２に強力に貼着可能とする接合部材２６ｂ、例えば両面テープ、接着剤等の接合部材２６ｂとを備えて構成されている。
【００１６】
さらに、帯状体２６は、振動板２２の長手方向における弾性がほぼ均一となるように、溝部２１のほぼ直線部分、つまり、溝部２１の長手方向に向かって平行、且つ対称となる位置において、溝部２１の上方を塞ぐように溝部２１を形成する一対の頂部間（振動板２２の上面側のこと）に掛け渡された状態で、基体２６ａの下面側と振動板２２の上面側とが接合部材２６ｂを介して強力に貼着されている。なお、帯状体２６には、基体２６ａ及び接合部材２６ｂを一体的に具備した粘着テープを用いることもできるが、これに限定されるものではない。
これにより、ダイアフラム２５の長手方向、つまりダイアフラム２５の中心部付近と長手方向における両端部付近との間でダイアフラム２５における弾性がほぼ等しくなり、ダイアフラム２５は軽量のまま剛性が高められることになる。
なお、この溝部２１を一様に拡大、或いは縮小した溝部が、溝部２１と共に相似的に複数形成されている場合には、図６、７に示されるように、溝部における曲率半径の小さい方の溝部、つまり中心側の溝部２１０のほぼ直線部分に帯状体２６を貼着することが可能である。
【００１７】
振動板２２の外周縁には、振動板２２を弾性支持するロール型のエッジダンパ部２３が一体的に連なっている。このエッジダンパ部２３の長手方向における両端部付近には、振動板２２の中央部に向かって船底型に凹まされた凹部２３ａが複数形成されている。
【００１８】
また、振動板２２とエッジダンパ部２３との結合部には、振動板２２とほぼ同一平面視形状とされた凹部２７が形成されている。この凹部２７の内部には、平面視が振動板２２の平面視とほぼ同一となるように形成されたボイスコイル２４が配置された状態で充填剤（例えば、接着剤）が充填されることによって固定されている。なお、このボイスコイル２４の両端には、それぞれ図示しないリード線（錦糸線）を介して正負の入力端子に電気的に接続されている。
また、このボイスコイル２４は、凹部２７内に配置された構成に限られたものではなく、例えば、振動板２２とエッジダンパ部２３との間に形成された平坦部に取り付けられている構成、すなわちボイスコイル吊り下げ型とすることも可能である。
【００１９】
さらに、このダイアフラム２５の外周縁には、ダイアフラム２５を支持する環状のフレーム２８が配設されていると共に、このフレーム２８の内周側には、マグネット２９を上部プレート３０及びヨーク３１より挟み込むことによって構成された磁気回路３２が配置されると共に、この磁気回路３２に凹み形成された磁気ギャップ３３内にボイスコイル２４が配置されるようになっている。
【００２０】
これにより、上述したスピーカ装置２０において、入力信号に従ってボイスコイル２４が磁気ギャップ３３内で振動し、この振動が振動板２２に伝達されて再生音が発せられると、図８に示されるように、従来の帯状体なしの場合のスピーカ装置から発せられる再生音と比較して、高音域におけるピークが明らかに低くなり、よりフラットな特性が得られるようになる。
【００２１】
以上述べたように、本発明によれば、平面視が楕円形状、長円形状、角型形状或いは矩形状で側面視がドーム型の振動板２２とほぼ同一形状となるように形成された溝部２１おいて、溝部２１のほぼ直線部分を対象として軽薄且つ長手方向における剛性を有する基体２６ａと、この基体２６ａを振動板２２に貼着する接合部材２６ｂとを備えた帯状体２６が溝部２２の上方を覆うように貼着される。
これにより、ダイアフラム２５の弾性が、ダイアフラム２５の中心部付近と長手方向における両端部付近とでほぼ等しくなり、ダイアフラム２５が軽量のまま剛性が高められるため、高音域におけるピークが低くなり、よりフラットな特性を得ることができ、高音域をかなり改善することが可能となる。
【００２２】
なお、本発明は、ハードドームスピーカ及びソフトドームスピーカのいずれにも適用することができる。
【図面の簡単な説明】
【００２３】
【図１】従来のスピーカ装置の断面図である。
【図２】振動板に高音域コントロール用の溝部を設けた従来のスピーカ装置の断面図である。
【図３】図２中のスピーカ装置の周波数特性図である。
【図４】本実施形態に係るスピーカ装置の平面図である。
【図５】図４中のＡ−Ａ矢視線における断面図である。
【図６】同例におけるスピーカ装置の一実施形態を示した平面図である。
【図７】図６中のＢ−Ｂ矢視線における断面図である。
【図８】本スピーカ装置と従来のスピーカ装置との周波数特性比較図である。
【符号の説明】
【００２４】
２０  スピーカ装置
２１  溝部
２１０  溝部
２２  振動板
２３  エッジダンパ部
２４  ボイスコイル
２５  ダイアフラム
２６  帯状体
２６ａ  基体
２６ｂ  接合部材
【図１】
2006303600.tif 000003
【図２】
2006303600.tif 000004
【図３】
2006303600.tif 000005
【図４】
2006303600.tif 000006
【図５】
2006303600.tif 000007
【図６】
2006303600.tif 000008
【図７】
2006303600.tif 000009
【図８】
2006303600.tif 000010